(57)【要約】【課題】非接触ICタグを用いる収納装置において、リアルタイムに物品の存否の変化を検知する。【解決手段】非接触ICタグ読取装置のアンテナ５が、箱３の入口に設けられている。非接触ICタグ１が添付されたワイン瓶２を、箱３に収納する。箱３の内部には、シールド材が貼り付けられている。アンテナ５からの電波が、非接触ICタグ１に到達するのを、シールド材４で防いでいる。瓶２が箱３の中に収納されている時は、非接触ICタグ１は電波の電力を受け取れないので動作できず、非接触ICタグ読取装置は非接触ICタグ１の情報を読み取れない。瓶２が箱３から取り出され、入口付近を通過する時には、非接触ICタグ１は動作できるので情報が読み取られ、瓶２の移動が検出される。【選択図】図１
2007176550.tif 000002
【特許請求の範囲】
【請求項１】
非接触ＩＣタグが添付された物品を収納する収納部材と、前記物品の収納位置付近の収納部材に設けられた電磁シールド材と、前記収納部材の物品取出口付近を読取領域とするアンテナを備えた非接触ＩＣタグ読取装置とを具備することを特徴とする収納装置。
【請求項２】
前記非接触ＩＣタグは、前記物品の側面または底面に添付されており、前記電磁シールド材は、前記収納部材の天面、底面、側面、前面、背面のいずれかまたは全てに設けられていることを特徴とする請求項１記載の収納装置。
【請求項３】
前記非接触ＩＣタグは、前記物品の底面に添付されており、前記収納部材は、傾斜した棚板本体と棚板底部を備えており、前記電磁シールド材は、前記棚板底部の上側面であって、前記物品の底面に対向する位置に設けられていることを特徴とする請求項１記載の収納装置。
【請求項４】
前記収納部材は、抽斗を備えており、前記電磁シールド材は、前記抽斗を収容する棚板に設けられていることを特徴とする請求項１記載の収納装置。
【請求項５】
前記電磁シールド材は、前記抽斗の前面にも設けられていることを特徴とする請求項４記載の収納装置。
【請求項６】
前記アンテナは、前記収納部材の天面または側面または底面の前面方向の延長面に設けられていることを特徴とする請求項１記載の収納装置。
【請求項７】
前記非接触ＩＣタグ読取装置は、２つのアンテナを備えており、前記２つのアンテナは、前記収納部材の天面と底面の前面方向の延長面に対向して設けられていることを特徴とする請求項１記載の収納装置。
【請求項８】
前記物品は、酒や調味料などの液体の食品を詰めた液体容器であり、前記収納部材は、前記物品の展示棚または保管棚であることを特徴とする請求項１記載の収納装置。
【請求項９】
前記物品は、電気部品などの小物部品であり、前記収納部材は、前記物品の保管棚であることを特徴とする請求項１記載の収納装置。
【請求項１０】
前記物品は、薬品の容器であり、前記収納部材は、前記物品の保管棚であることを特徴とする請求項１記載の収納装置。
【発明の詳細な説明】
【技術分野】
【０００１】
本発明は、収納装置に関し、特に、非接触ICタグを添付した物品の移動を瞬時に検知して、移動した物品に関する情報を取得する収納装置に関する。
【背景技術】
【０００２】
従来、非接触ICタグを用いて物品の存在を検知する装置が、種々の分野で利用されている。この装置では、監視対象物品に取り付けられた非接触ICタグから出力される応答信号を、検知装置で受信して物品の有無を検知する。検知装置は、物品に取り付けられた非接触ICタグに対して、一定の間隔で探知信号を送信する。非接触ICタグは、この探知信号を受信して応答信号を出力する。検知装置は、非接触ICタグからの応答信号を受信できなかったとき、この非接触ICタグが取り付けられた物品の不存在を検知し、物品の管理装置に通知する。
【０００３】
このような装置においては、多数の物品を収納して保管している場合には、すべての物品の非接触ICタグに探知信号を送信し、応答信号が受信できなかった物品は不存在であるということを検知している。収納物品の数が多くなると、１つの物品の不存在を検知するために、すべての物品の存在を検知しなければならないので長時間を要する。
【０００４】
図７は、従来の非接触ICタグを用いる収納装置の概念図である。本棚に本が置かれている。本には、非接触ICタグが添付されている。アンテナは、本棚の上面に取り付けられている。非接触ICタグは、常にアンテナと通信しており、非接触ICタグの保持する情報が読み取られている。読取りができなくなったことで、本の移動を検出する。以下、これに関連する従来技術の例をいくつかあげる。
【０００５】
特許文献１に開示された「物品監視システム」は、非接触ICタグを用いた物品の管理にかかるコストを削減し、ICタグによる物品への汚損をなくした物品監視システムである。盗難監視用リーダからの応答要求信号の出力と監視対象物品に取り付けた金属部材によって反射された反射信号の出力とが打ち消しあう位置または金属部材と密着する位置にICタグを配置している。したがって、通常はICタグを検出することはできない。監視対象物品が設置場所から移動した場合には反射波がなくなる。また、金属部材とICタグとの密着状態が解消される。そのため、ICタグが応答要求信号を受信し、応答信号を出力する。このことで、物品の設置場所からの移動を検出できる。
【０００６】
特許文献２に開示された「盗難監視システム」は、ICタグ等の通信手段を取り付けた物体を収納物に収納して保管して、物体の盗難の有無を監視するシステムである。物体にICタグを取り付け、収納物に収納する。コントローラは、周期的に探知信号を出力し、ICタグは探知信号を受信して応答信号を出力する。コントローラは、ICタグからの応答信号を受信したとき、収納物から物体が持ち出されたと判定する。
【特許文献１】特開2005-038301号公報
【特許文献２】特開2005-284733号公報
【発明の開示】
【発明が解決しようとする課題】
【０００７】
しかし、従来の非接触ICタグを用いる収納装置では、次のような問題がある。１つの検知装置が送受信する非接触ICタグの数が少ないときは、ほぼリアルタイムに物品の存否を検知できるが、非接触ICタグの数が多くなると、すべての非接触ICタグを一巡して通信する時間が長くなり、リアルタイムに物品の存否の変化を検知できなくなる。
【０００８】
本発明の目的は、上記従来の問題を解決して、非接触ICタグを用いる収納装置において、１つの検知装置が送受信する非接触ICタグの数が多くても、リアルタイムに物品の存否の変化を検知できるようにすることである。
【課題を解決するための手段】
【０００９】
上記の課題を解決するために、本発明では、収納装置を、非接触ICタグが添付された物品を収納する収納部材と、物品の収納位置付近の収納部材に設けられた電磁シールド材と、収納部材の物品取出口付近を読取領域とするアンテナを備えた非接触ＩＣタグ読取装置とを具備する構成とした。
【発明の効果】
【００１０】
上記のように構成したことにより、非接触ICタグを用いる収納装置において、１つの検知装置が送受信する非接触ICタグの数が多くても、リアルタイムに物品の存否の変化を検知できる。
【発明を実施するための最良の形態】
【００１１】
以下、本発明を実施するための最良の形態について、図１〜図６を参照しながら詳細に説明する。
【実施例１】
【００１２】
本発明の実施例１は、非接触ICタグ読取装置のアンテナが入口に設けられ、内部にシールド材が貼り付けられており、非接触ICタグが添付されたワイン瓶を収納するワイン収納棚である。
【００１３】
図１は、本発明の実施例１におけるワイン収納棚の概念図である。図１(ａ)は、ワイン収納棚の側面図である。図１(ｂ)は、ワイン収納棚の正面図である。図１（ｃ）は、アンテナからの電波の磁力線の広がりを示す図である。図２は、アンテナとタグ非接触とシールド材との関係を説明する図である。図３は、アンテナの位置が異なるワイン収納棚の概念図である。図３(ａ)は、ワイン収納棚の上面図である。図３(ｂ)は、ワイン収納棚の正面図である。図１と図３において、非接触ICタグ１は、電池を持たず、送受信手段と、書換え可能な不揮発性メモリを持つICタグである。単に識別符号を応答するだけのICタグでもよい。
【００１４】
瓶２は、非接触ICタグが貼付されたワインの瓶である。箱３は、ワインの瓶を収納する箱である。シールド材４は、アンテナからの電波を遮蔽するアルミ箔などの電磁シールド材である。銅箔などの他の導電体でもよく、強磁性体などの電波吸収材でもよい。アンテナ５は、非接触ICタグ読取装置のアンテナである。非接触ICタグ読取装置は、ネットワークでセンター装置に接続されているものとするが、オフラインの装置でもよい。磁力線６は、アンテナから出る電波の磁界を示す磁力線である。
【００１５】
上記のように構成された本発明の実施例１におけるワイン収納棚の機能と動作を説明する。最初に、図１を参照しながら、ワイン収納棚の機能を説明する。箱３の内側の側面に、シールド材４が貼り付けてある。図示していない非接触ICタグ読取装置は、２つのアンテナ５を備えている。２つのアンテナ５は、箱３の両側面の前面方向の延長面に、対向して設けられている。箱３の入口の左右に配置されたアンテナ５の電波の磁力線６が、瓶２に添付された非接触ICタグ１に到達するのを、シールド材４で防いでいる。瓶２が箱３の中に収納されている時には、非接触ICタグ１を読み取れない。瓶２が箱３から取り出され、入口付近を通過する時に、非接触ICタグ１が読み取られ、瓶２の移動が検出される。
【００１６】
アンテナ５からの電波の磁力線６は、図１（ｃ）に示すように広がる。アンテナ５が発生する電波は、箱３の内側の側面に張られたシールド材４に反射され、箱３の内部にはほとんど入り込めない。よって、箱３に収納された瓶２に添付された非接触ICタグ１は、アンテナ５から動作用の電力を受け取れないので、動作できない。
【００１７】
次に、図２を参照しながら、アンテナと非接触ICタグとシールド材の関係について説明する。非接触ICタグ読取装置が非接触ICタグと電波で通信する場合、アンテナの周囲には、磁力線で示される磁界が発生する。また、磁界に対応する電界も発生する。この磁力線が交差する他のアンテナが存在すれば、誘導により他のアンテナに起電力が発生する。誘導による起電力は、交差する磁力線の増加速度で決まる。したがって、相互のアンテナが離れている場合や、正対していない場合や、シールド材のように磁力線を遮るものがある場合は、非接触ICタグのアンテナの起電力が小さくなる。電波で電力が供給される非接触ICタグは、これらの障害により、充分な電力を得られなくなり、通信不可能に陥る。
【００１８】
次に、図３を参照しながら、非接触ICタグ読取装置のアンテナを、箱の入口の上下に設けた例を説明する。箱３の内側の上下面にシールド材４が貼り付けてある。図示していない非接触ICタグ読取装置は、２つのアンテナ５を備えている。２つのアンテナ５は、箱３の天面と底面の前面方向の延長面に、対向して設けられている。箱３の入口の上下に配置されたアンテナ５の電波が、瓶２に添付された非接触ICタグ１に到達するのを、シールド材４で防いでいる。瓶２が箱の中に収納されている時、非接触ICタグ１は電波の電力を受け取れないので動作できない。したがって、非接触ICタグ読取装置は、非接触ICタグ１の情報を読み取れない。瓶２が箱から取り出される時、入口付近を通過する時には、非接触ICタグ１は電波の電力を受け取れるので動作でき、非接触ICタグ読取装置は、非接触ICタグ１の情報を読み取ることができ、瓶２の移動が検出される。
【００１９】
シールド材は、収納棚の天面と底面または両側面に設けたが、必要に応じて背面にも設けてよい。ワイン瓶の例を説明したが、その他の酒瓶や調味料等の液体容器であってもよい。また、電気部品の小物部品などの他の物品でもよい。ワイン瓶を収納する箱の例を説明したが、箱は、瓶や部品などの物品の展示棚または保管棚であってもよい。
【００２０】
このようにして、１つの箱に多数のワインが収納されていても、非接触ICタグ１が添付されたワイン瓶２の移動を、１つのアンテナで即座に検出できる。在庫の有無は直接にはわからないが、移動のデータを累積することにより、在庫管理などのためのデータが収集できる。また、ワインの展示棚に適用した場合、客がワインを手に取ったことがわかり、棚に戻した場合に何分何秒後に戻したかもわかるので、商品に対する関心の程度を把握することができる。なお、瓶２を箱３に戻そうとして戻さなかった場合は、瓶２の移動があったものと検出されるが、移動は１回であるので、戻したものと判断され、在庫データに狂いが生じることがある。このような場合も正確に在庫量を把握する必要があれば、箱３の中にもアンテナを設けて、従来と同様な方法で在庫量を検出するようにすればよい。
【００２１】
上記のように、本発明の実施例１では、非接触ICタグが添付されたワイン瓶を収納するワイン収納棚を、非接触ICタグ読取装置のアンテナが入口に設けられ、内部にシールド材が貼り付けられている構成としたので、リアルタイムにワイン瓶の存否の変化を検知できる。
【実施例２】
【００２２】
本発明の実施例２は、非接触ICタグ読取装置のアンテナが棚板両側面に設けられ、棚板表面にシールド材が貼り付けられており、非接触ICタグが添付されたワイン瓶を収納するワイン収納棚である。
【００２３】
図４は、本発明の実施例３におけるワイン収納棚の概念図である。図４(ａ)は、ワイン収納棚の側面図である。図４(ｂ)は、ワイン収納棚の正面図である。図４において、非接触ICタグ１は、電池を持たず、送受信手段と、書換え可能な不揮発性メモリを持つICタグである。単に識別符号を応答するだけのICタグでもよい。瓶２は、非接触ICタグが貼付されたワインの瓶である。シールド材４は、アンテナからの電波を遮蔽するアルミ箔である。銅箔などの他の導電体でもよく、強磁性体などの電波吸収材でもよい。アンテナ５は、非接触ICタグ読取装置のアンテナである。棚板７は、ワインの瓶を載せる板である。
【００２４】
上記のように構成された本発明の実施例３におけるワイン収納棚の機能と動作を説明する。棚板７の表面に、シールド材４が設けられている。非接触ICタグ１は、瓶２の底面に取り付けられている。アンテナ５は、棚板７の両端に配置されている。瓶２が棚板７の上に置かれている状態では、非接触ICタグ１はシールド材４と密着しており、非接触ICタグ１は、シールド材４により電波が遮蔽されて電力を受け取れないので動作できない。したがって、図示していない非接触ICタグ読取装置は、非接触ICタグ１の情報を読み取れない。瓶２を持ち上げると、非接触ICタグ１は電波の電力を受け取れるので動作でき、非接触ICタグ１は、アンテナ５と交信できる状態となる。したがって、非接触ICタグ読取装置は、非接触ICタグ１の情報を読み取ることができ、瓶２の移動が検出される。このようにして、実施例１と同様に、非接触ICタグ１により、瓶２の移動を即座に検出できるので、在庫管理などのためのデータが収集できる。
【００２５】
上記のように、本発明の実施例２では、非接触ICタグが添付されたワイン瓶を収納するワイン収納棚を、非接触ICタグ読取装置のアンテナが棚板両側面に設けられ、棚板表面にシールド材が貼り付けられている構成としたので、リアルタイムにワイン瓶の存否の変化を検知できる。
【実施例３】
【００２６】
本発明の実施例３は、非接触ICタグ読取装置のアンテナがＬ字型の傾斜棚板を囲むように設けられ、Ｌ字型の傾斜棚板の底部表面にシールド材が貼り付けられており、非接触ICタグが添付されたワイン瓶を収納するワイン収納棚である。
【００２７】
図５は、本発明の実施例３におけるワイン収納棚の概念図である。図５(ａ)は、ワイン収納棚の上面図である。図５(ｂ)は、ワイン収納棚の側面図である。図５において、非接触ICタグ１は、電池を持たず、送受信手段と、書換え可能な不揮発性メモリを持つICタグである。単に識別符号を応答するだけのICタグでもよい。瓶２は、非接触ICタグが底に貼付されたワインの瓶である。シールド材４は、アンテナからの電波を遮蔽するアルミ箔である。銅箔などの他の導電体でもよく、強磁性体などの電波吸収材でもよい。アンテナ５は、非接触ICタグ読取装置のアンテナである。棚板８は、ワインの瓶を載せるＬ字型の傾斜棚板である。
【００２８】
上記のように構成された本発明の実施例３におけるワイン収納棚の機能と動作を説明する。瓶２は、Ｌ字型の傾斜棚板８の上に横置きに置かれる。Ｌ字型の傾斜棚板８のうちの瓶２の底が接触する底部の上面に、シールド材４が貼られている。アンテナ５は、Ｌ字型の傾斜棚板８の下に、Ｌ字型の傾斜棚板８を囲むように配置されている。アンテナ５からの電波が瓶２に添付された非接触ICタグ１に到達するのを、シールド材４で防いでいる。瓶２の底がシールド材４に接している時は、非接触ICタグ１は動作できない。したがって、図示していない非接触ICタグ読取装置は、非接触ICタグ１の情報を読み取れない。瓶２を取り上げて底がシールド材４から離れると、非接触ICタグ１は電波の電力を受け取れるので動作できる。非接触ICタグ１は、アンテナ５と交信できる状態となり、非接触ICタグ読取装置は、非接触ICタグ１の情報を読み取ることができ、瓶２の移動が検出される。
【００２９】
Ｌ字型の傾斜棚板８のうちの瓶２の底が接触する底部の上面に、シールド材４を貼った例を説明したが、シールド材を、Ｌ字型の傾斜棚板８の本体の背面や表面に設けてもよい。その場合は、非接触ICタグ１を瓶２の側面に添付する。シールド材４を貼る位置と、非接触ICタグ１を添付する位置は、瓶２をＬ字型の傾斜棚板８に置いた状態で、非接触ICタグ１が通信不可状態になる場所であれば、いずれの場所でもよい。このようにして、実施例１、２と同様に、非接触ICタグ１により、瓶２の移動を即座に検出できるので、在庫管理などのためのデータが収集できる。
【００３０】
上記のように、本発明の実施例３では、非接触ICタグが添付されたワイン瓶を収納するワイン収納棚を、非接触ICタグ読取装置のアンテナがＬ字型の傾斜棚板を囲むように設けられ、Ｌ字型の傾斜棚板の底部表面にシールド材が貼り付けられている構成としたので、リアルタイムにワイン瓶の存否の変化を検知できる。
【実施例４】
【００３１】
本発明の実施例４は、非接触ICタグ読取装置のアンテナが前方下に設けられ、棚面にシールド材４が貼られており、非接触ICタグが添付された薬品を収納する薬品棚である。
【００３２】
図６は、本発明の実施例４における薬品棚の概念図である。図６(ａ)は、薬品棚の上面図である。図６(ｂ)は、薬品棚の側面図である。図６(ｃ)は、薬品棚の正面図である。図６において、非接触ICタグ１は、電池を持たず、送受信手段と、書換え可能な不揮発性メモリを持つICタグである。単に識別符号を応答するだけのICタグでもよい。シールド材４は、アンテナからの電波を遮蔽するアルミ箔である。銅箔などの他の導電体でもよく、強磁性体などの電波吸収材でもよい。アンテナ５は、非接触ICタグ読取装置のアンテナである。薬品棚９は、薬品を収納する棚である。薬品10は、瓶や箱に収容された薬品である。抽斗11は、薬品を種類別に収納するひきだしである。
【００３３】
上記のように構成された本発明の実施例４における薬品棚の機能と動作を説明する。薬品棚９の棚面に、シールド材４が貼られている。シールド材を、抽斗11の前面にも設けてもよい。抽斗11は、薬品棚９に収納されている。更に、薬品棚９の抽斗11の中には、非接触ICタグ１が添付された薬品10が収納されている。アンテナ５は、薬品棚９の前方下に配置されている。抽斗11が、薬品棚９に収納されている状態では、アンテナ５の電波はシールド材４に邪魔をされ、非接触ICタグ１にほとんど到達しない。非接触ICタグ１は電波の電力を受け取れないので動作できず、図示していない非接触ICタグ読取装置は、非接触ICタグ１の情報を読み取れない。抽斗11が薬品棚９から引き出されると、非接触ICタグ１は電波の電力を受け取れるので動作できる。非接触ICタグ読取装置は、非接触ICタグ１の情報を読み取ることができ、薬品10の移動を検出できる。
【００３４】
このようにして、非接触ICタグ１により、薬品10の移動を即座に検出できるので、在庫管理などのためのデータが収集できる。また、処方箋に従って薬品棚９から薬品10を取り出す場合に、どの薬品を取り出したかがリアルタイムに検出できるので、間違った薬品を取り出したときに、直ちに警告を発することができる。
【００３５】
上記のように、本発明の実施例４では、非接触ICタグが添付された薬品を収納する薬品棚を、非接触ICタグ読取装置のアンテナが前方下に設けられ、棚面にシールド材４が貼られている構成としたので、リアルタイムに薬品の存否の変化を検知できる。
【産業上の利用可能性】
【００３６】
本発明の収納装置は、ワイン瓶の棚や、薬品棚や、商品棚などとして最適である。
【図面の簡単な説明】
【００３７】
【図１】本発明の実施例１におけるワイン収納棚の概念図である。
【図２】本発明の実施例１におけるワイン収納棚の非接触ICタグ読取装置のアンテナと非接触ICタグのアンテナとシールド材との関係を説明する図である。
【図３】本発明の実施例１におけるワイン収納棚の非接触ICタグ読取装置のアンテナの位置が異なる場合の概念図である。
【図４】本発明の実施例２におけるワイン収納棚の概念図である。
【図５】本発明の実施例３におけるワイン収納棚の概念図である。
【図６】本発明の実施例４における薬品棚の概念図である。
【図７】従来の非接触ICタグを用いる収納装置の概念図である。
【符号の説明】
【００３８】
１  非接触ICタグ
２  瓶
３  箱
４  シールド材
５  アンテナ
６  磁力線
７  棚板
８  Ｌ字型の傾斜棚板
９  薬品棚
10  薬品
11  抽斗
【図１】
2007176550.tif 000003
【図２】
2007176550.tif 000004
【図３】
2007176550.tif 000005
【図４】
2007176550.tif 000006
【図５】
2007176550.tif 000007
【図６】
2007176550.tif 000008
【図７】
2007176550.tif 000009